(57)【特許請求の範囲】
【請求項１】
光を発光する発光素子と、この発光素子から発光された前記光の進行方向を制御する光学素子とを備えた光モジュールであって、
前記光学素子は、
前記発光素子からの光が入射し、この入射した光をコリメート光として前記光学素子の内部へと進行させる入射面と、
この入射面に前記コリメート光の進行方向側において対向する位置に配置され、前記コリメート光が入射し、この入射したコリメート光を分離する光分離面と、
この光分離面にこの面に対する前記コリメート光の入射方向に直交する所定の第１の方向側において対向する位置に配置され、前記光分離面によって分離された一部の光が入射し、この入射した一部の光を出射させる出射面と
を備え、
前記光分離面は、
前記コリメート光における中心光線を含む第１の光が入射し、この入射した第１の光を屈折をともなわずに透過させる前記コリメート光の入射方向に直交する平面状の透過面と、
この透過面に前記第１の方向側において連接されるとともに、前記第１の方向側に向かうにしたがって前記入射面と反対側に傾斜するように形成され、前記コリメート光における前記第１の光に前記第１の方向側において隣接する第２の光が臨界角よりも大きい入射角で入射し、この入射した第２の光を前記出射面に向けて前記一部の光として全反射させる第１の全反射面と、
前記透過面に前記第１の方向と反対の第２の方向側において連接されるとともに、前記第２の方向側に向かうにしたがって前記入射面側に傾斜するように形成され、前記コリメート光における前記第１の光に前記第２の方向側において隣接する第３の光が臨界角よりも大きい入射角で入射し、この入射した第３の光を前記一部の光として前記第２の光の反射方向と同方向に全反射させる第２の全反射面と
によって形成され、
前記第１の全反射面における前記透過面側の端部と、前記第２の全反射面における前記透過面側の端部とは、前記第２の光および前記第３の光の反射方向に直交する方向において互いに同位置において前記透過面に連接されていること
を特徴とする光モジュール。
【請求項２】
前記第１の全反射面および前記第２の全反射面は、前記第２の光および前記第３の光を、前記透過面に対する前記第１の光の入射方向に直交する方向に全反射させるように配置されていること
を特徴とする請求項１に記載の光モジュール。
【請求項３】
前記入射面が、前記発光素子からの光をコリメートするレンズ面に形成されていること
を特徴とする請求項１または請求項２に記載の光モジュール。
【発明の詳細な説明】
【技術分野】
【０００１】
本発明は、光モジュールに係り、特に、発光素子の光の進行方向を制御するのに好適な光モジュールに関する。
【背景技術】
【０００２】
従来から、光ファイバや光導波路等の光伝送体を介した光通信には、面発光レーザ（例えば、ＶＣＳＥＬ：Vertical Cavity Surface Emitting Laser）等の発光素子を備えた光モジュールが用いられていた。
【０００３】
この種の光モジュールには、発光素子と光伝送体の端面とを光学的に結合するための手段として、発光素子から発光された光の進行方向を制御する光学素子が搭載されていた。
【０００４】
図１７は、このような従来から採用されていた光学素子を搭載した光モジュールの一例を示したものである。
【０００５】
図１７に示すように、光モジュール１は、レーザ光を出射（発光）するＶＣＳＥＬ等の発光素子２と、この発光素子２に対向配置された光学素子３とによって構成されている。光学素子３は、透明樹脂材料（例えば、ポリエーテルイミド）等の透光性材料によって一体的に形成されている。
【０００６】
図１７に示すように、光学素子３は、発光素子２に臨む位置に配置された入射面としてのレンズ面４を有しており、このレンズ面４は、発光素子２側に凸面を向けた凸レンズ面とされている。また、図１７に示すように、レンズ面４の光軸ＯＡは、発光素子２から出射されるレーザ光Ｌ（光束）の中心光線Ｌｓと同一直線上に配置（位置合わせ）されている。
【０００７】
このようなレンズ面４には、図１７に示すように、発光素子２から出射されたレーザ光Ｌが入射する。そして、レンズ面４は、入射したレーザ光Ｌをコリメートして、光学素子３の内部へと進行させる。
【０００８】
また、図１７に示すように、レンズ面４に対してレーザ光Ｌの進行方向（透過方向）側において対向する位置には、光分離面５が配置されている。この光分離面５には、レンズ面４を透過したレーザ光Ｌ（コリメート光）が入射する。そして、光分離面５は、入射したレーザ光Ｌを分離する。
【０００９】
さらに、図１７に示すように、光分離面５に対して、この面５に対するレーザ光Ｌの入射方向に直交する第１の方向（図１７における右方）側において対向する位置には、出射面６が配置されている。この出射面６には、光分離面５によって分離された一部のレーザ光Ｌ（以下、通信光Ｌｃと称する）が垂直入射する。そして、出射面６は、入射した通信光Ｌｃを、光学素子３の外部（図１７における右方）へと出射させる。なお、図１７に示すように、出射面６に対して通信光Ｌｃの出射方向側において対向する位置には、光伝送体７の端面７ａが配置されるようになっており、この端面７ａには、出射面６から出射された通信光Ｌｃが結合されて、光伝送体７を介した光通信に利用されることになる。
【００１０】
ここで、光分離面５について詳述すると、図１７に示すように、光分離面５は、レンズ面４の光軸ＯＡの延長線上に、光軸ＯＡに直交するように配置された平面形状の透過面５１を有している。この透過面５１には、レンズ面４側から光分離面５に到達したレーザ光Ｌのうちの中心光線Ｌｓを含む第１の光Ｌ１（光束）が垂直入射する。そして、透過面５１は、入射した第１の光Ｌ１を、屈折をともなわずに光学素子３の外部へと透過させる。このような透過面５１における透過光は、例えば、出射面６から出射される通信光Ｌｃ（強度や光量）をモニタ（監視）するためモニタ光として、不図示の受光素子（フォトディテクタ等）によって検出される場合もある。
【００１１】
また、図１７に示すように、光分離面５は、透過面５１に第１の方向側において連接された第１の全反射面５２を有している。この第１の全反射面５２は、第１の方向側に向かうにしたがってレンズ面４と反対側（図１７における上方）に傾斜する傾斜平面に形成されている。この傾斜平面の傾斜角は、レンズ面４の光軸ＯＡを基準（０°）として、図１７における時計回りに４５°、換言すれば、透過面５１を基準として図１７における反時計回りに４５°とされている。
【００１２】
このような第１の全反射面５２には、光分離面５に到達したレーザ光Ｌのうちの第１の光Ｌ１に第１の方向側において隣接する第２の光Ｌ２（光束）が、レーザ光Ｌの波長に対応する光学素子３材料の屈折率ｎと空気層の屈折率（＝１）との関係から臨界角よりも大となる入射角θｉ（＞ｓｉｎ−１（１／ｎ））で入射する。そして、第１の全反射面５２は、入射した第２の光Ｌ２を出射面６に向けて通信光Ｌｃの一部として全反射させる。このとき、第２の光Ｌ２の反射方向は、入射方向に対して直角となる。
【００１３】
さらに、図１７に示すように、光分離面５は、透過面５１に第１の方向と反対の第２の方向（図１７における左方）側において隣位する（連接されてはいない）第２の全反射面５３を有している。この第２の全反射面５３は、第１の全反射面５２と同一平面状の傾斜平面に形成されている。なお、第２の全反射面５３と透過面５１とは、透過面５１に直交する段差面５４によって接続されている。
【００１４】
このような第２の全反射面５３には、光分離面５に到達したレーザ光Ｌのうちの第１の光Ｌ１に第２の方向側において隣接する第３の光Ｌ３（光束）が、臨界角よりも大きい入射角で入射する。そして、第２の全反射面５３は、入射した第３の光Ｌ３を、通信光Ｌｃの一部として第２の光Ｌ２と同方向に全反射（直角に反射）させる。
【００１５】
また、このような光モジュール１に関連する先行技術文献としては、例えば、下記の特許文献１を挙げることができる。特許文献１に記載の光モジュールは、光量の減衰を目的として、光電変換素子から出射された光の一部を反射させる光反射手段を備えている。
【先行技術文献】
【特許文献】
【００１６】
【特許文献１】特許第４６１０４７８号
【発明の概要】
【発明が解決しようとする課題】
【００１７】
しかるに、従来は、第１の全反射面５２と第２の全反射面５３とが、反射光Ｌ２ 、Ｌ３の反射方向に直交する方向において段差面５４に相当する間隙部を有するように配置されていたため、出射面６から出射される通信光Ｌｃ（第２の光Ｌ２と第３の光Ｌ３との合成光）は、進行方向に垂直な断面において、第２の光Ｌ２と第３の光Ｌ３との間に、段差面５４を反映した光強度の著しい落ち込み領域（空隙部）を有するものとなっていた。
【００１８】
このような通信光Ｌｃを光通信に利用する場合には、特に、ビーム形状を単一スポットにするとともに光強度分布を中心部に唯一のピーク強度を有するような１山状の分布にすることが重要となる場合（例えば、シングルモード光ファイバでの光送信を行う場合）において、光学特性に悪影響を及ぼすことが問題となっていた。
【００１９】
そこで、本発明は、このような問題点に鑑みなされたものであり、透過光と分離された反射光のビーム形状および強度分布の好適化を図ることができ、ひいては、光学特性を向上させることができる光モジュールを提供することを目的とするものである。
【課題を解決するための手段】
【００２０】
前述した目的を達成するため、本発明の請求項１に係る光モジュールの特徴は、光を発光する発光素子と、この発光素子から発光された前記光の進行方向を制御する光学素子とを備えた光モジュールであって、前記光学素子は、前記発光素子からの光が入射し、この入射した光をコリメート光として前記光学素子の内部へと進行させる入射面と、この入射面に前記コリメート光の進行方向側において対向する位置に配置され、前記コリメート光が入射し、この入射したコリメート光を分離する光分離面と、この光分離面にこの面に対する前記コリメート光の入射方向に直交する所定の第１の方向側において対向する位置に配置され、前記光分離面によって分離された一部の光が入射し、この入射した一部の光を出射させる出射面とを備え、前記光分離面は、前記コリメート光における中心光線を含む第１の光が入射し、この入射した第１の光を屈折をともなわずに透過させる前記コリメート光の入射方向に直交する平面状の透過面と、この透過面に前記第１の方向側において連接されるとともに、前記第１の方向側に向かうにしたがって前記入射面と反対側に傾斜するように形成され、前記コリメート光における前記第１の光に前記第１の方向側において隣接する第２の光が臨界角よりも大きい入射角で入射し、この入射した第２の光を前記出射面に向けて前記一部の光として全反射させる第１の全反射面と、前記透過面に前記第１の方向と反対の第２の方向側において連接されるとともに、前記第２の方向側に向かうにしたがって前記入射面側に傾斜するように形成され、前記コリメート光における前記第１の光に前記第２の方向側において隣接する第３の光が臨界角よりも大きい入射角で入射し、この入射した第３の光を前記一部の光として前記第２の光の反射方向と同方向に全反射させる第２の全反射面とによって形成され、前記第１の全反射面における前記透過面側の端部と、前記第２の全反射面における前記透過面側の端部とは、前記第２の光および前記第３の光の反射方向に直交する方向において互いに同位置において前記透過面に連接されている点にある。
【００２１】
そして、この請求項１に係る発明によれば、入射した第１の光を屈折をともなわずに透過させるコリメート光の入射方向に直交する平面状の透過面を形成し、第１の全反射面における透過面側の端部と第２の全反射面における透過面側の端部とを、第２の光および第３の光の反射方向に直交する方向において互いに同位置において前記透過面に連接することによって、出射面から出射された第２の光および第３の光が、進行方向に垂直な断面において、互いに一体とされた中心対称の単一スポット形状を呈することができるとともに中心部にピーク強度を有するような中心対称の強度分布を示すことができるので、透過光と分離された反射光のビーム形状および強度分布を良好にすることができる。透過面の面形状を、平面状として、第１の光の中心光線の直進透過に好適な形状に形成することができる。また、光分離面を光学的に有効に機能する面（透過面、第１の全反射面および第２の全反射面）のみによって形成することができるので、光学素子を金型を用いて成形する場合には、金型と光学素子成形品との接触面積を抑えることによって、離型性を良好に確保することができる。
【００２２】
また、請求項２に係る光モジュールの特徴は、請求項１において、前記第１の全反射面および前記第２の全反射面は、前記第２の光および前記第３の光を、前記透過面に対する前記第１の光の入射方向に直交する方向に全反射させるように配置されている点にある。
【００２３】
そして、この請求項２に係る発明によれば、発光素子の光を直進透過と直角反射とを利用して分離するように構成することができるので、設計および寸法精度測定の簡便化を図ることができる。
【００２６】
さらにまた、請求項３に係る光モジュールの特徴は、請求項１または請求項２において、更に、前記入射面が、前記発光素子からの光をコリメートするレンズ面に形成されている点にある。
【００２７】
そして、この請求項３に係る発明によれば、コリメート光を簡便かつ確実に得ることができる。
【発明の効果】
【００２８】
本発明によれば、透過光と分離された反射光のビーム形状および強度分布の好適化を図ることができ、ひいては、光学特性を向上させることができる。
【図面の簡単な説明】
【００２９】
【図１】本発明に係る光モジュールの実施形態を示す構成図
【図２】図１の光モジュールにおける光学素子を示す平面図
【図３】図１の光モジュールにおける光学素子を示す下面図
【図４】第１の変形例を示す光モジュールの構成図
【図５】第２の変形例を示す光学素子の下面図
【図６】従来品１を搭載した光モジュールを示す構成図
【図７】従来品１を搭載した光モジュールについての第１の測定面上における光強度分布のパターン画像を示す図
【図８】従来品１を搭載した光モジュールについての第２の測定面上における光強度分布のパターン画像を示す図
【図９】従来品１を搭載した光モジュールについての第３の測定面上における光強度分布のパターン画像を示す図
【図１０】従来品１を搭載した光モジュールについての第１〜第３の測定面上におけるＸ／Ｙ軸方向の光強度分布を示すグラフ
【図１１】従来品２を搭載した光モジュールについての第２の測定面上における光強度分布のパターン画像を示す図
【図１２】従来品２を搭載した光モジュールについての第３の測定面上における光強度分布のパターン画像を示す図
【図１３】従来品２を搭載した光モジュールについての第１〜第３の測定面上におけるＸ／Ｙ軸方向の光強度分布を示すグラフ
【図１４】本発明品を搭載した光モジュールについての第２の測定面上における光強度分布のパターン画像を示す図
【図１５】本発明品を搭載した光モジュールについての第３の測定面上における光強度分布のパターン画像を示す図
【図１６】本発明品を搭載した光モジュールについての第１〜第３の測定面上におけるＸ／Ｙ軸方向の光強度分布を示すグラフ
【図１７】従来の光モジュール（従来品２を搭載した光モジュール）を示す構成図
【発明を実施するための形態】
【００３０】
以下、本発明に係る光モジュールの実施形態について、図１７に示した従来の構成との差異を中心に、図１〜図１６を参照して説明する。
【００３１】
なお、便宜上、従来と基本的構成が同一もしくはこれに類する箇所については、同一の符号を用いて説明する。
【００３２】
図１は、本実施形態における光モジュール１を示す構成図である。また、図２は、図１に示す光モジュール１における光学素子３の平面図である。さらに、図３は、図１に示す光モジュール１における光学素子３の下面図である。
【００３３】
図１に示すように、本実施形態における光モジュール１は、発光素子２から出射されたレーザ光Ｌを、入射面としてのレンズ面４（球面または非球面）においてコリメートして光学素子３の内部へと進行させた後に、光分離面５において、透過面５１を透過する第１の光Ｌ１と、第１の全反射面５２によって全反射される第２の光Ｌ２と、第３の全反射面５３によって全反射される第３の光Ｌ３との３つの光束に分離する点については、従来と同様である。
【００３４】
ただし、本実施形態における光モジュール１は、第１の全反射面５２および第２の全反射面５３の具体的な構成において、従来の光モジュール１に対する特徴的な差異を有している。すなわち、図１に示すように、本実施形態において、第１の全反射面５２と第２の全反射面５３とは、従来の構成のように互いに同一平面上にあるのではなく、同一平面上から反射光Ｌ２、Ｌ３の反射方向にずれて配置されている。また、図１に示すように、第２の全反射面５３と透過面５１との間には、従来のように両面５３、５１を接続する段差面５４（図１７参照）は存在せず、両面５３、５１が直接連接されている。さらに、図１に示すように、第１の全反射面５２における透過面５１側の端部（透過面５１との連接部すなわち左端部）と、第２の全反射面５３における透過面５１側の端部（透過面５１との連接部すなわち右端部）とは、反射光Ｌ２、Ｌ３の反射方向に直交する方向（図１における縦方向）において互いに同位置に配置されている。換言すれば、第１の全反射面５２における透過面５１側の端部と第２の全反射面５３における透過面５１側の端部とは、反射光Ｌ２、Ｌ３の反射方向に平行な同一の仮想平面内に含まれいている。これ以外の構成は、基本的に従来と同様であるので、詳細は割愛する。
【００３５】
そして、このように構成された光モジュール１によれば、第１の全反射面５２によって全反射された第２の光Ｌ２の図１における下端部に、第２の全反射面５３によって全反射された第３の光Ｌ３の図１における上端部が接するような光路を形成することができる。これにより、出射面６から出射される第２の光Ｌ２および第３の光Ｌ３（通信光Ｌｃ）は、進行方向に垂直な断面において、互いに一体とされた中心対称の単一スポット形状（略楕円形状）を呈することができるとともに、中心部にピーク強度を有するような中心対称の強度分布（ガウシアン分布に近い分布）を示すことができる。ただし、このときのスポット形状および強度分布の対称軸は、全反射後における第２の光Ｌ２と第３の光Ｌ３との接線（接平面に含まれる光の進行方向に垂直な直線）に相当する。このような第２の光Ｌ２および第３の光Ｌ３は、光通信において良好な光学特性（例えば、光結合効率等）を発揮することができる。また、本実施形態によれば、光分離面５を、光学的に有効に機能する面５１〜５３のみによって形成することができるので、光学素子３を金型を用いて樹脂成形する場合には、金型と光学素子成形品との接触面積を抑えることによって、離型性を良好に確保することができる。
【００３６】
なお、本発明には、以下に示すような種々の変形例を適用することができる。
【００３７】
（第１の変形例）
例えば、図４に示すように、発光素子２と同一の回路基板１０上にモニタ用の受光素子１１を搭載する場合には、透過面５１に対する第１の光Ｌ１の透過方向側の位置に、第１の光Ｌ１を受光素子１１まで導くための光学面１２を配置すればよい。なお、図４における光学面１２は、２つの全反射面１２ａ、１２ｂによって構成されているが、このような構成に限定しなくてもよい。また、光学面１２を光学素子３の面の１つとして光学素子３に一体的に作り込んでもよいことは勿論である。
【００３８】
（第２の変形例）
また、図５に示すように、本発明は、複数の発光素子２に対応するように、複数のレンズ面４を備えることによって、モニタをともなうマルチチャンネルの光送信に対応できるように構成してもよい。なお、図５において、各レンズ面４は、透過面５１に対する第１の光Ｌ１の入射方向および全反射面５２、５３における反射光Ｌ２、Ｌ３の反射方向の双方に直交する方向（図５における縦方向）に整列配置されている。
【実施例】
【００３９】
次に、本実施例においては、光学素子３として、従来品１、従来品２および本発明品の３つの試料をそれぞれ搭載した光モジュール１を対象として、光束断面形状および光強度分布の評価を行った。この評価は、発光素子２のレーザ光Ｌの光路上の互いに異なる複数の箇所に光路に対して垂直に設定された光強度の測定面における光強度シミュレーションの結果に基づいて行った。なお、従来品１の構成は、図６に示すように、透過面５１を有さずに全反射面５０のみを備えたものである。また、従来品２の構成は、図１７に示したものである。さらに、本発明品の構成は、図１〜図３に示したものである。
【００４０】
以下、これら各試料をそれぞれ搭載した光モジュール１に対する評価結果を、光強度シミュレーションの結果とともに順次説明する。
【００４１】
〔従来品１を搭載した光モジュールに対する評価〕
図６に示すように、従来品１には、発光素子２のレーザ光の進行方向（光路）に垂直な光強度の測定面として、第１〜第３の三箇所の測定面Ｓ１、Ｓ２、Ｓ３を設定した。
【００４２】
具体的には、第１の測定面Ｓ１は、発光素子２とレンズ面４との間の光路上に、レンズ面４の光軸ＯＡに垂直なＸＹ座標面として設定した。ただし、第１の測定面Ｓ１において、Ｘ軸方向は、図６における横方向にとり、また、Ｙ軸方向は、同図における紙面垂直方向にとり、さらに、原点は、光軸ＯＡの延長線上にとった。また、第２の測定面Ｓ２は、出射面６に対する反射光Ｌｒの出射側の位置に、反射光Ｌｒの進行方向に垂直なＸＹ座標面として設定した。ただし、第２の測定面Ｓ２において、Ｘ軸方向は、図６における縦方向にとり、また、Ｙ軸方向は、同図における紙面垂直方向にとり、さらに、原点は、反射光Ｌｒの光束断面の中心点に相当する位置にとった。さらに、第３の測定面Ｓ３は、光学素子３の外部におけるレンズ面４の光軸ＯＡの延長線上に、光軸ＯＡに垂直なＸＹ座標面として設定した。ただし、第３の測定面Ｓ３において、Ｘ軸方向は、図６における横方向にとり、また、Ｙ軸方向は、同図における紙面垂直方向にとり、さらに、原点は、光軸ＯＡの延長線上にとった。
【００４３】
そして、光束断面形状の評価は、各測定面Ｓ１、Ｓ２、Ｓ３ごとに、光強度シミュレーション結果として、光強度分布のパターン画像を取得した上で、取得されたパターン画像の形状を評価することによって行った。
【００４４】
また、光強度分布の評価は、各測定面Ｓ１、Ｓ２、Ｓ３ごとに、光強度シミュレーション結果として、Ｘ軸座標値を変数とした光強度分布（以下、Ｘ軸方向の光強度分布と称する）のグラフと、Ｙ軸座標値を変数とした光強度分布（以下、Ｙ軸方向の光強度分布と称する）のグラフとを取得した上で、取得されたグラフの特性を評価することによって行った。
【００４５】
このような前提で、第１の測定面Ｓ１上における光強度分布のパターン画像は、図７に示すものとなった。なお、パターン画像におけるトーンの変化は、光強度の変化を示している。また、第２の測定面Ｓ２上における光強度分布のパターン画像は、図８に示すものとなった。さらに、第３の測定面Ｓ３上における光強度分布のパターン画像は、図９に示すものとなった。さらにまた、Ｘ軸方向の光強度分布のグラフは、図１０（ａ）に示すものとなり、また、Ｙ軸方向の光強度分布のグラフは、図１０（ｂ）に示すものとなった。なお、図１０（ａ）において、横軸は、Ｘ軸における原点からの距離（すなわち、Ｘ軸座標値）〔ｍｍ〕であり、縦軸は、光強度分布〔Ｗ／ｍｍ２〕である。また、図１０（ｂ）において、横軸は、Ｙ軸における原点からの距離（すなわち、Ｙ軸座標値）〔ｍｍ〕であり、縦軸は、光強度分布〔Ｗ／ｍｍ２〕である。
【００４６】
〔評価〕
図８および図１０に示すように、従来品１においては、反射光Ｌｒの光束断面形状を、全反射前における光束断面形状（図７参照）とほぼ同様の真円形状にすることができるとともに、光強度分布をガウシアン分布に近い分布にすることができるので、このような反射光Ｌｒは、通常の光結合のみを考慮した場合には理想的であると言うことができる。しかしながら、図９に示すように、従来品１は、透過光を全く得ることができないので、本発明において目的とする用途（モニタ）に対応することは不可能である。
【００４７】
〔従来品２を搭載した光モジュールに対する評価〕
次に、図１７に示すように、従来品２にも、従来品１における測定面Ｓ１、Ｓ２、Ｓ３に対応する位置に、従来品１と同じ要領で、第１〜第３の三箇所の測定面Ｓ１、Ｓ２、Ｓ３を設定した。
【００４８】
そして、従来品２を搭載した光モジュール１において、第１の測定面Ｓ１上における光強度分布のパターン画像は、図７と同様となった。また、第２の測定面Ｓ２上における光強度分布のパターン画像は、図１１に示すものとなった。さらに、第３の測定面Ｓ３上における光強度分布のパターン画像は、図１２に示すものとなった。さらにまた、各測定面Ｓ１、Ｓ２、Ｓ３上において、Ｘ軸方向の光強度分布のグラフは、図１３（ａ）に示すものとなり、また、Ｙ軸方向の光強度分布のグラフは、図１３（ｂ）に示すものとなった。なお、各測定面Ｓ１、Ｓ２、Ｓ３におけるＸ軸、Ｙ軸の定義は、従来品１の場合と同様である。
【００４９】
〔評価〕
図１２に示すように、従来品２においては、透過面５１が存在することによって透過光Ｌ１を得ることができる。しかしながら、図１１に示すように、反射光Ｌ２、Ｌ３（通信光Ｌｃ）の光束断面形状は、Ｙ軸方向に長尺な空隙部を挟むようにしてＸ軸方向に二分割されたものとなり、単一なスポット形状を呈することができない。また、図１３（ａ）に示すように、Ｘ軸方向の光強度分布は２山状となり、同時に、図１３（ｂ）に示すように、Ｙ軸方向の光強度分布はほぼ０となるため、理想的なガウシアン分布を大きく逸脱したものとなる。このような特性は、第１の全反射面５２と第２の全反射面５３とを隔てる段差面５４の存在に起因して、第１の全反射面５２における透過面５１側の端部が、第２の全反射面５３における透過面５１側の端部よりも反射光Ｌ２、Ｌ３の反射方向に直交する方向におけるレンズ面４と反対側に配置されていることによるものである。このような反射光Ｌ２、Ｌ３は、従来の課題として指摘したように、適正な光通信には不向きである。
【００５０】
〔本発明品を搭載した光モジュールに対する評価〕
次に、図１に示すように、本発明品にも、従来品１における測定面Ｓ１、Ｓ２、Ｓ３に対応する位置に、従来品１と同じ要領で、第１〜第３の三箇所の測定面Ｓ１、Ｓ２、Ｓ３をとった。
【００５１】
そして、本発明品を搭載した光モジュール１において、第１の測定面Ｓ１上における光強度分布のパターン画像は、図７と同様となった。また、第２の測定面Ｓ２上における光強度分布のパターン画像は、図１４に示すものとなった。さらに、第３の測定面Ｓ３上における光強度分布のパターン画像は、図１５に示すものとなった。さらにまた、各測定面Ｓ１、Ｓ２、Ｓ３上において、Ｘ軸方向の光強度分布のグラフは、図１６（ａ）に示すものとなり、また、Ｙ軸方向の光強度分布のグラフは、図１６（ｂ）に示すものとなった。なお、各測定面Ｓ１、Ｓ２、Ｓ３におけるＸ軸、Ｙ軸の定義は、従来品１の場合と同様である。
【００５２】
〔評価〕
図１４に示すように、本発明品においては、反射光Ｌ２、Ｌ３の光束断面形状が、Ｘ軸の原点を通るＹ軸に平行な対称軸を基準として線対称（中心対称）の単一スポット形状（楕円形状）となり、また、図１６（ａ）に示すように、Ｘ軸方向の光強度分布が、理想的なガウシアン分布に近い中心部（原点）に唯一のピーク強度を有する線対称（中心対称）の分布となった。このような特性は、第１の全反射面５２における透過面５１側の端部と第２の全反射面５３における透過面５１側の端部とが、反射光Ｌ２、Ｌ３の反射方向に直交する方向において互いに同位置に配置されていることによるものである。このような反射光Ｌ２、Ｌ３は、適正な光通信に十分に対応することができる。
【００５３】
なお、本発明は、前述した実施の形態に限定されるものではなく、本発明の特徴を損なわない限度において、種々変更することができる。
【００５４】
例えば、入射面は、コリメーションレンズ面４に限定する必要はなく、例えば、レーザ光が垂直入射する平面に形成してもよい。ただし、その場合には、例えば、発光素子２と入射面との間にコリメーションレンズを介在させること等によって、入射面に当初からコリメート光が入射するように構成することが必要となる。
【符号の説明】
【００５５】
１  光モジュール
２  発光素子
３  光学素子
４  レンズ面
５  光分離面
６  出射面
５１  透過面
５２  第１の全反射面
５３  第２の全反射面
【図１】
0005920813.tif 000002
【図２】
0005920813.tif 000003
【図３】
0005920813.tif 000004
【図４】
0005920813.tif 000005
【図５】
0005920813.tif 000006
【図６】
0005920813.tif 000007
【図１０】
0005920813.tif 000008
【図１３】
0005920813.tif 000009
【図１６】
0005920813.tif 000010
【図１７】
0005920813.tif 000011
【図７】
0005920813.tif 000012
【図８】
0005920813.tif 000013
【図９】
0005920813.tif 000014
【図１１】
0005920813.tif 000015
【図１２】
0005920813.tif 000016
【図１４】
0005920813.tif 000017
【図１５】
0005920813.tif 000018